(57)【要約】【目的】  従来不可能であったネジレの生じた平鋼の矯正を可能にする。【構成】  平鋼を上方から水平に押さえて固定する着脱可能な拘束装置を設け、矯正しようとする平鋼の一端を固定させる。この状態で、矯正する部分に対し油圧装置による上下からのプレスをかけることで発生する曲げモーメントによる回転力を加えて矯正することを要旨とする。拘束装置は、油圧プレスによる矯正力を発生させるため、着脱可能な固定装置を備えた拘束装置であり、矯正しようとする平鋼を拘束装置により上方より水平に押さえつけ固定させることと、上下方向からの油圧プレスによる逆方向の回転力を加えることで矯正力を得る装置である。更に開口部を有し、外側の片方又は両方に水平方向から角度を持ったレバー部分を持つ矯正治具を使用することでネジレを矯正することが可能となる。【選択図】図２
2014012293.tif 000002
【特許請求の範囲】
【請求項１】
熱間圧延した平鋼を形状測定し製品規格を外れた平鋼に上方から水平に拘束装置により固定し、ネジレの生じた方向とは逆の方向の回転力による変形を加えることでネジレを解消させる矯正方法において、平鋼を上方より水平に押さえつける拘束装置を設置して矯正しようとする平鋼の反対側の端部を固定する。矯正しようとする平鋼の端部を上下方向からの油圧プレスをかけることでネジレの生じた方向とは逆向きに回転力を加えて矯正することを特徴とするネジレ矯正方法である。
【請求項２】
拘束装置部は、油圧プレスによる矯正力を発生させるため、着脱可能な固定装置を備えた拘束装置であり、矯正しようとする平鋼を拘束装置により上方より水平に押さえつけ固定させることと、上下方向からの油圧プレスによる逆方向の回転力を加えることで矯正力を得ることを特徴とする［請求項Ｉ］のネジレ矯正方法である。
【請求項３】
矯正治具部は、上方から水平に押さえつけて固定する着脱可能な拘束装置および油圧装置の上下方向からのプレスをかけながら矯正が可能な形状のものである。ネジレを矯正しようとする部分に矯正冶具をはめ込み、外側の片方、又は両方に水平方向から角度を持ったレバー部分に対し油圧装置により上下方向に押さえつける力を加える。これによりネジレの生じた方向とは逆向きの油圧プレスによる回転力を加えて矯正することができる。また、この治具は平鋼の端部に着脱、スライドが可能なように開口部を有する。この治具を用いた［請求項Ｉ］のネジレ矯正方法である。
【発明の詳細な説明】
【技術分野】
【０００１】  本発明は、平鋼のネジレ矯正方法に関するものである。
【背景技術】
【０００２】  従来より、熱間圧延により製造する平鋼に生じた反り、横曲りに対して、平坦度矯正機及び横曲がり矯正機による平坦度矯正、横曲がり矯正を行ってきた。
【発明が解決しようとする課題】
【０００３】  ところが、前記の矯正方法では、一般的な平坦度不良及び横曲がりについては矯正可能であるが、ネジレの生じた平鋼を矯正することが出来ない。そのため形状測定の結果ネジレにより製品の規格値を外れた平鋼は矯正することができず、今まで製品の規格外となりスクラップとして処理するしかなかった。
【０００４】平鋼は熱間圧延工程により製造するが、特に断面形状が非対称である平鋼は製造が非常に難しくネジレを伴う形状不良を生じやすい。一般的に圧延により発生するものは曲がりや反りであるのに対し、ネジレとは平鋼の厚部、薄部またはその両側に発生し、より複雑な三次元の曲がりを生じたものである。
【０００５】  そこで、矯正しようとする平鋼の一端を拘束しながら、ネジレの生じた部分にプレスをかけることで発生する曲げモーメントによる回転力を加え、ネジレの発生した方向と逆方向に曲げることによってネジレを解消し矯正することを目的としたネジレ矯正方法である。
【課題を解決するための手段】
【０００６】  請求項Ｉに記載の発明は、［図２］［図３］に示すように、矯正しようとする平鋼の一端を押えて拘束しながら、反対側の端部に油圧プレスで圧力をかけることにより発生する曲げモーメントの回転力を利用してネジレを解消し、矯正することを要旨とする。
【０００７】従って、請求項ＩＩに記載の発明にもあるとおり、拘束装置で矯正しようとする平鋼の一端を着脱可能な拘束装置［図２］［図３］で上方より水平に押さえつけて固定させる。この状態で、矯正する部分に対し油圧装置による上下方向からのプレスによってネジレの生じた方向とは逆向きに回転力を加えてネジレを矯正する方法である。［図２］［図４］
【０００８】  請求項ＩＩに記載の発明は、着脱可能な拘束装置を設置し、矯正しようとする平鋼を上下より水平に押さえつけて拘束し、固定することを要旨とする。固定する方法にはスクリューによる又は油圧による方法がある。
【０００９】従って、［図３］に示すように、油圧装置による上下方向からのプレスにより回転力を発生させる曲げモーメントを得るために、平鋼の一端を固定させる装置である。
【００１０】  請求項ＩＩＩに記載の発明は、上下方向からの油圧プレスで矯正する際に矯正治具を使用することを要旨とする。
【００１１】従ってネジレの矯正において、油圧装置の上下方向からの油圧プレスを利用可能であり、油圧プレスと治具による回転力を加えてネジレを効果的に解消することが可能な形状の矯正治具を使用しながら矯正する。
【００１２】この治具は［図４］［図５］に示すように、平鋼の端部に着脱、スライドが可能なように開口部を有し、矯正治具の外側の片方又は両方に水平方向から角度を持ったレバー部分に上下方向からの油圧プレスによりネジレの発生した方向とは逆方向に曲げることでネジレを解消し、矯正する方法である。
【発明の効果】
【００１３】  請求項Ｉの発明によれば、［図２］［図３］［図４］に示すように、平鋼の一端を着脱可能な拘束装置で上方から水平に押さえつけて固定しながら、油圧装置による上下方向からのプレスをかけることで発生する回転力を加えてネジレを解消することができるため、従来の矯正方法だけでは矯正することができなかった平鋼のネジレ矯正が可能となった。
【００１４】さらに、従来までのネジレによるスクラップ化を防止することで大幅な歩留りの改善が可能となり、スクラップ化を大幅に減らすことで地球環境負荷の低減に大きく貢献できるものである。
【００１５】  請求項ＩＩの発明によれば、請求項Ｉの効果に加え、［図３］に示すように矯正しようとする平鋼の一端を着脱可能な拘束装置を設け上方より水平に押さえつけて固定する。この拘束装置はネジレ矯正時のみ使用可能である。
【００１６】これにより油圧装置のプレスによりネジレの生じた方向とは逆向き方向に回転力を加えネジレを解消し、矯正させることができる。
【００１７】  請求項ＩＩＩの発明によれば、請求項Ｉ〜ＩＩの方法に加え、着脱可能な拘束装置を設け平鋼を上方より水平に押さえつけて固定すること及び油圧装置の上下からのプレスを使用してネジレの矯正を行うことが可能な形状をした［図４］［図５］に示すような矯正治具を使用する。
【００１８】この矯正治具は外側の片方又は両方に水平方向から角度を持ったレバー部分を有しており、油圧装置による上下方向からのプレスにより曲げモーメントによる回転力を効果的に得るものである。
【００１９】また、平鋼の端部に着脱、スライドが可能なように開口部を有しておりネジレ発生箇所に対して簡単に位置を調整しながら矯正することができる。その結果、矯正能力の向上と作業効率アップを図ることができるものである。
【００２０】〈試験例〉［表１］は本発明による試験例結果を示すものである。平鋼をテーブル上に置き、ネジレの発生しやすい端部からの位置において測定器を使用して平鋼の厚部及び薄部のネジレをテーブルから平鋼の下面部の浮き上り量を測定する。製品規格値を外れた平鋼を本発明の方法で矯正する。その結果、本発明のネジレ矯正方法で平鋼の矯正を行うことでネジレが大幅に改善できること、矯正することによりスクラップ処理が減少するため歩留が向上することが実証された。
【図面の簡単な説明】
【図１】本発明によるネジレ矯正の概要を示すフローチャートである。
【図２】本発明によるネジレ矯正の設備構成図である。
【図３】本発明における拘束装置部の設備構成図である。
【図４】本発明におけるプレス矯正部の設備構成図である。
【図５】本発明における矯正冶具を示す構成図である。
【表１】
本発明における矯正試験例の結果を示す表である。
【符号の説明】１．．．矯正対象材
２．．．支い物
３．．．拘束装置
４．．．矯正治具
５．．．油圧装置によるプレス
６．．．矯正台
【図１】
2014012293.tif 000003
【図２】
2014012293.tif 000004
【図３】
2014012293.tif 000005
【図４】
2014012293.tif 000006
【図５】
2014012293.tif 000007
2014012293.tif 000008
【手続補正書】
【提出日】平成24年9月13日(2012.9.13)
【手続補正２】
【補正対象書類名】明細書
【補正対象項目名】全文
【補正方法】変更
【補正の内容】
【発明の詳細な説明】
【技術分野】
【０００１】  本発明は、平鋼のネジレ矯正方法に関するものである。
【背景技術】
【０００２】  従来より、熱間圧延により製造する平鋼に生じた反り、横曲りに対して、平坦度矯正機及び横曲がり矯正機による平坦度矯正、横曲がり矯正を行ってきた。
【発明が解決しようとする課題】
【０００３】  ところが、前記の矯正方法では、一般的な平坦度不良及び横曲がりについては矯正可能であるが、ネジレの生じた平鋼を矯正することが出来ない。そのため形状測定の結果ネジレにより製品の規格値を外れた平鋼は矯正することができず、今まで製品の規格外となりスクラップとして処理するしかなかった。
【０００４】平鋼は熱間圧延工程により製造するが、特に断面形状が非対称である平鋼は製造が非常に難しくネジレを伴う形状不良を生じやすい。一般的に圧延により発生するものは曲がりや反りであるのに対し、ネジレとは平鋼の厚部、薄部またはその両側に発生し、より複雑な三次元の曲がりを生じたものである。
【０００５】  そこで、矯正しようとする平鋼の一端を拘束しながら、ネジレの生じた部分にプレスをかけることで発生する曲げモーメントによる回転力を加え、ネジレの発生した方向と逆方向に曲げることによってネジレを解消し矯正することを目的としたネジレ矯正方法である。
【課題を解決するための手段】
【０００６】  請求項Ｉに記載の発明は、［図２］［図３］に示すように、矯正しようとする平鋼の一端を押えて拘束しながら、反対側の端部に油圧プレスで圧力をかけることにより発生する曲げモーメントの回転力を利用してネジレを解消し、矯正することを要旨とする。
【０００７】従って、請求項ＩＩに記載の発明にもあるとおり、拘束装置で矯正しようとする平鋼の一端を着脱可能な拘束装置［図２］［図３］で上方より水平に押さえつけて固定させる。この状態で、矯正する部分に対し油圧装置による上下方向からのプレスによってネジレの生じた方向とは逆向きに回転力を加えてネジレを矯正する方法である。［図２］［図４］
【０００８】  請求項ＩＩに記載の発明は、着脱可能な拘束装置を設置し、矯正しようとする平鋼を上下より水平に押さえつけて拘束し、固定することを要旨とする。固定する方法にはスクリューによる又は油圧による方法がある。
【０００９】従って、［図３］に示すように、油圧装置による上下方向からのプレスにより回転力を発生させる曲げモーメントを得るために、平鋼の一端を固定させる装置である。
【００１０】  請求項ＩＩＩに記載の発明は、上下方向からの油圧プレスで矯正する際に矯正治具を使用することを要旨とする。
【００１１】従ってネジレの矯正において、油圧装置の上下方向からの油圧プレスを利用可能であり、油圧プレスと治具による回転力を加えてネジレを効果的に解消することが可能な形状の矯正治具を使用しながら矯正する。
【００１２】この治具は［図４］［図５］に示すように、平鋼の端部に着脱、スライドが可能なように開口部を有し、矯正治具の外側の片方又は両方に水平方向から角度を持ったレバー部分に上下方向からの油圧プレスによりネジレの発生した方向とは逆方向に曲げることでネジレを解消し、矯正する方法である。
【発明の効果】
【００１３】  請求項Ｉの発明によれば、［図２］［図３］［図４］に示すように、平鋼の一端を着脱可能な拘束装置で上方から水平に押さえつけて固定しながら、油圧装置による上下方向からのプレスをかけることで発生する回転力を加えてネジレを解消することができるため、従来の矯正方法だけでは矯正することができなかった平鋼のネジレ矯正が可能となった。
【００１４】さらに、従来までのネジレによるスクラップ化を防止することで大幅な歩留りの改善が可能となり、スクラップ化を大幅に減らすことで地球環境負荷の低減に大きく貢献できるものである。
【００１５】  請求項ＩＩの発明によれば、請求項１の効果に加え、［図３］に示すように矯正しようとする平鋼の一端を着脱可能な拘束装置を設け上方より水平に押さえつけて固定する。この拘束装置はネジレ矯正時のみ使用可能である。
【００１６】これにより油圧装置のプレスによりネジレの生じた方向とは逆向き方向に回転力を加えネジレを解消し、矯正させることができる。
【００１７】  請求項ＩＩＩの発明によれば、請求項Ｉ〜ＩＩの方法に加え、着脱可能な拘束装置を設け平鋼を上方より水平に押さえつけて固定すること及び油圧装置の上下からのプレスを使用してネジレの矯正を行うことが可能な形状をした［図４］［図５］に示すような矯正治具を使用する。
【００１８】この矯正治具は外側の片方又は両方に水平方向から角度を持ったレバー部分を有しており、油圧装置による上下方向からのプレスにより曲げモーメントによる回転力を効果的に得るものである。
【００１９】また、平鋼の端部に着脱、スライドが可能なように開口部を有しておりネジレ発生箇所に対して簡単に位置を調整しながら矯正することができる。その結果、矯正能力の向上と作業効率アップを図ることができるものである。
【００２０】〈試験例〉［図６］は本発明による試験例結果を示すものである。平鋼をテーブル上に置き、ネジレの発生しやすい端部からの位置において測定器を使用して平鋼の厚部及び薄部のネジレをテーブルから平鋼の下面部の浮き上り量を測定する。製品規格値を外れた平鋼を本発明の方法で矯正する。その結果、本発明のネジレ矯正方法で平鋼の矯正を行うことでネジレが大幅に改善できること、矯正することによりスクラップ処理が減少するため歩留が向上することが実証された。
【図面の簡単な説明】
【図１】本発明によるネジレ矯正の概要を示すフローチャートである。
【図２】本発明によるネジレ矯正の設備構成図である。
【図３】本発明における拘束装置部の設備構成図である。
【図４】本発明におけるプレス矯正部の設備構成図である。
【図５】本発明における矯正冶具を示す構成図である。
【図６】本発明における矯正試験例の結果を示す図である。
【符号の説明】１．．．矯正対象材
２．．．支い物
３．．．拘束装置
４．．．矯正治具
５．．．油圧装置によるプレス
６．．．矯正台
【手続補正３】
【補正対象書類名】図面
【補正対象項目名】全図
【補正方法】変更
【補正の内容】
【図１】
2014012293.tif 000009
【図２】
2014012293.tif 000010
【図３】
2014012293.tif 000011
【図４】
2014012293.tif 000012
【図５】
2014012293.tif 000013
【図６】
2014012293.tif 000014